(57)【要約】      （修正有）【課題】浸水によって連絡部上部の開口が水没してしまった場合でも脱出することが可能な簡易型の防災用地下シェルターを提供する。【解決手段】防災用地下シェルター１は、内部に避難空間３が形成され、地中Ｇに埋設されて使用されるのに必要な水密性と耐圧性を有する本体部５と、該本体部５に対して接続され、避難空間３と地上ＧＵとを連絡する連絡部７とを備える。連絡部７は一つまたは複数設けられており、連絡部７のうち少なくとも出口用として利用される連絡部７Ｂは、本体部５に対して上下方向Ｚに所定ストロークＳ昇降し得るように可動状態で設けられる。【選択図】図１
0003178130.tif 000002
【実用新案登録請求の範囲】
【請求項１】
内部に避難空間が形成され、地中に埋設されて使用されるのに必要な水密性と耐圧性を有する本体部と、該本体部に対して接続され、上記避難空間と地上とを連絡する連絡部とを備えた防災用地下シェルターにおいて、
前記連絡部は一つまたは複数設けられており、該連絡部のうち少なくとも出口用として利用される連絡部は、前記本体部に対して上下方向に所定ストローク昇降し得るように可動状態で設けられていることを特徴とする防災用地下シェルター。
【請求項２】
前記連絡部の上部には、連絡部の内部側と外部側のそれぞれから開閉操作が可能な操作ハンドルを備えた水密構造を有するハッチが設けられていることを特徴とする請求項１記載の防災用地下シェルター。
【請求項３】
前記可動状態で設けられる連絡部は、前記本体部に対して固定状態で設けられる外筒部と、
上記外筒部に内嵌して上下方向に所定ストローク移動可能な内筒部と、
上記内筒部を昇降移動させる昇降手段と、
上記連絡部を介して前記本体部内の避難空間と外部とを行き来する際の手掛かりないし足掛かりとなる避難・脱出手段とを備えることによって構成されていることを特徴とする請求項１または２記載の防災用地下シェルター。
【請求項４】
前記連絡部は入口用と出口用に分けて複数設けられており、このうち入口用として利用される連絡部には、該連絡部の開口と本体部の底部とを傾斜姿勢で連絡する避難シュートが設けられていることを特徴とする請求項１〜３のいずれかに記載の防災用地下シェルター。
【請求項５】
前記外筒部の上部と前記内筒部の上部には、内筒部が下限位置にある時に嵌合する二つの外フランジ部が設けられており、
上記二つの外フランジ部の間と、摺接する外筒部の内周面と内筒部の外周面との間には、水密構造が設けられていることを特徴する請求項３または４記載の防災用地下シェルター。
【請求項６】
前記本体部には、外部の空気を取り入れる通気口と、外部の様子を確認するための潜望鏡が設けられていることを特徴とする請求項１〜５のいずれかに記載の防災用地下シェルター。
【請求項７】
前記避難空間内には、備蓄用の非常食、水、酸素ボンベ、仮設トイレ、送風機、照明、ベッド、発電設備の一部またはすべてが備えられていることを特徴とする請求項１〜６のいずれかに記載の防災用地下シェルター。
【考案の詳細な説明】
【技術分野】
【０００１】
本考案は、地震や洪水等の災害発生時に一時的に避難する場合に使用される簡易型の防災用地下シェルターに関する。
【背景技術】
【０００２】
従来から下記の特許文献１、２に示すように災害発生時に一時的に避難する目的で使用される防災地下室ユニットや防災用地下装置が種々開発されている。これらの防災地下室ユニットや防災用地下装置では、内部に避難空間が形成される本体部が地中に埋設され、上記避難空間と地上との間を行き来するための連絡部が上部を地上に突出させた状態で上記本体部に接続されている。
【０００３】
また、上記本体部には、地上の様子を確認するための展望鏡や避難空間の換気を確保するための換気口が設けられており、避難空間内には長時間に及ぶ避難にも対応できるようにベッドやイス、照明、電源設備あるいは水道設備等が配設されている。
そして、上記連絡部は地中に埋設された本体部に対して固定状態で設けられており、連絡部の地面からの高さは常に一定の高さに設定されていた。
【先行技術文献】
【特許文献】
【０００４】
【特許文献１】特開昭５５−６１６７０号公報
【特許文献２】実開昭５６−１７１９５０号公報
【考案の概要】
【考案が解決しようとする課題】
【０００５】
尚、上記連絡部の地面からの高さを高く設定すると、日常生活において邪魔になるし、基礎を備えた頑強な構造物としなければならないため高額な設備費用が必要になってくる。したがって、一般に連絡部の地面からの高さは、最低限の高さに設定されている。
しかし、地震によって津波が発生したり、豪雨によって洪水等が発生した場合には、連絡部の地面からの高さが低いと、連絡部の出入り口となる開口が水没してしまうため、使用者は本体部の避難空間から外部に脱出できなくなってしまう。
【０００６】
本考案はこのような点に基づいてなされたものでその目的とするところは、浸水によって連絡部上部の開口が水没してしまった場合でも本体部内部からの操作によって連絡部上部の開口を水面から上昇させて本体部外部に脱出することが可能な水密性に優れた簡易型の安価な防災用地下シェルターを提供することにある。
【課題を解決するための手段】
【０００７】
上記目的を達成するべく本考案の請求項１による防災用地下シェルターは、内部に避難空間が形成され、地中に埋設されて使用されるのに必要な水密性と耐圧性を有する本体部と、該本体部に対して接続され、上記避難空間と地上とを連絡する連絡部とを備えた防災用地下シェルターにおいて、前記連絡部は一つまたは複数設けられており、該連絡部のうち少なくとも出口用として利用される連絡部は、前記本体部に対して上下方向に所定ストローク昇降し得るように可動状態で設けられていることを特徴とするものである。
【０００８】
また、請求項２による防災用地下シェルターは、請求項１記載の防災用地下シェルターにおいて、前記連絡部の上部には、連絡部の内部側と外部側のそれぞれから開閉操作が可能な操作ハンドルを備えた水密構造を有するハッチが設けられていることを特徴とするものである。
【０００９】
また、請求項３による防災用地下シェルターは、請求項１または２記載の防災用地下シェルターにおいて、前記可動状態で設けられる連絡部は、前記本体部に対して固定状態で設けられる外筒部と、上記外筒部に内嵌して上下方向に所定ストローク移動可能な内筒部と、上記内筒部を昇降移動させる昇降手段と、上記連絡部を介して前記本体部内の避難空間と外部とを行き来する際の手掛かりないし足掛かりとなる避難・脱出手段とを備えることによって構成されていることを特徴とするものである。
【００１０】
また、請求項４による防災用地下シェルターは、請求項１〜３のいずれかに記載の防災用地下シェルターにおいて、前記連絡部は入口用と出口用に分けて複数設けられており、このうち入口用として利用される連絡部には、該連絡部の開口と本体部の底部とを傾斜姿勢で連絡する避難シュートが設けられていることを特徴とするものである。
【００１１】
また、請求項５による防災用地下シェルターは、請求項３または４記載の防災用地下シェルターにおいて、前記外筒部の上部と前記内筒部の上部には、内筒部が下限位置にある時に嵌合する二つの外フランジ部が設けられており、上記二つの外フランジ部の間と、摺接する外筒部の内周面と内筒部の外周面との間には、水密構造が設けられていることを特徴するものである。
【００１２】
また、請求項６による防災用地下シェルターは、請求項１〜５のいずれかに記載の防災用地下シェルターにおいて、前記本体部には、外部の空気を取り入れる通気口と、外部の様子を確認するための潜望鏡が設けられていることを特徴とするものである。
【００１３】
また、請求項７による防災用地下シェルターは、請求項１〜６のいずれかに記載の防災用地下シェルターにおいて、前記避難空間内には、備蓄用の非常食、水、酸素ボンベ、仮設トイレ、送風機、照明、ベッド、発電設備の一部またはすべてが備えられていることを特徴とするものである。
【考案の効果】
【００１４】
そして、上記手段によって以下のような効果が得られる。まず、出口用として利用される連絡部を前記本体部に対して上下方向に所定ストローク昇降し得るように可動状態で設けたから、浸水によって連絡部の上部の開口が水没してしまった場合でも連絡部を上昇させることによって連絡部の上部の開口を水面の上方に移動させて避難空間内に避難している人を本体部外部に脱出させることが可能になる。
【００１５】
また、連絡部の上部に、連絡部の内部と外部から開閉操作が可能な操作ハンドルを備えた水密構造を有するハッチを設けた場合には、ハッチを閉めた状態ではハッチの有する水密構造によって連絡部上部の開口からの水の浸入を防止することができる。
一方、連絡部の上部が水面の上方に達してハッチを開く時には、連絡部の内部と外部のいずれでもハンドルが操作ができるから、速やかな避難者の脱出と救出が可能になる。
【００１６】
また、可動状態で設けられる連絡部を外筒部と内筒部と昇降手段と避難・脱出手段とを備えることによって構成した場合には、上下方向に所定ストローク昇降可能な連絡部を比較的簡単な構造で構成でき、地震等が発生した場合の迅速な避難と、安全を確認した後の避難空間からの速やかな避難者の脱出と救出とを簡単な操作で行うことが可能になる。
【００１７】
また、入口用として利用される連絡部に、該連絡部の開口と本体部の底部とを傾斜姿勢で連絡する避難シュートを設けた場合には、避難者の体力や年齢の違いに因ることなく地震等が発生した場合の一層、迅速な避難が可能になる。
【００１８】
また、外筒部の上部と内筒部の上部に内筒部が下限位置にある時に嵌合する二つの外フランジ部を設け、これらの間に水密構造を設けた場合には、内筒部が下限位置にある収縮時において水密性が発揮され、二つの外フランジ部間の隙間からの水の浸入が防止される。
更に、摺接する外筒部の内周面と内筒部の外周面との間に水密構造を設けた場合には、内筒部が上限位置にある伸長時や昇降途中の状態での水密性が確保され、外筒部の内周面と内筒部の外周面との間の隙間からの水の浸入が防止される。
【００１９】
また、本体部に外部の空気を取り入れる通気口と、外部の様子を確認するための潜望鏡を設けた場合には、生活に必要な避難空間の換気が図れ、外部環境の安全を確かめて避難空間から脱出することが可能になる。
また、避難空間内に備蓄用の非常食、水、酸素ボンベ、仮設トイレ、送風機、照明、ベッド、発電設備の一部またはすべてを備えた場合には、遮蔽された地下の避難空間での避難生活が改善され、長時間に及ぶ避難生活にも対応できるようになる。
【００２０】
本考案の防災用地下シェルターによると、浸水によって連絡部上部の開口が水没してしまった場合でも本体部内部からの操作によって連絡部上部の開口を水面から上昇させて本体部外部に脱出することが可能な水密性に優れた簡易型の安価な防災用地下シェルターを提供することが可能になる。
【図面の簡単な説明】
【００２１】
【図１】本考案の実施の形態を示す図で、防災用地下シェルターを示す側断面図である。
【図２】本考案の実施の形態を示す図で、防災用地下シェルターを示す平断面図である。
【図３】本考案の実施の形態を示す図で、防災用地下シェルターを示す図１中のＡ−Ａ断面図である。
【図４】本考案の実施の形態を示す図で、連絡部が下限位置に位置している時（ａ）と、上限位置に位置している時（ｂ）の連絡部周辺を示す側断面図である。
【図５】本考案の実施の形態を示す図で、入口用の連絡部とハッチの構造を示す部分平面図である。
【図６】本考案の実施の形態を示す図で、入口用の連絡部とハッチの構造を示す部分側断面図である。
【図７】本考案の実施の形態を示す図で、出口用の連絡部とハッチの構造を示す部分側断面図である。
【００２２】
以下、図１〜図７に示す実施の形態を例にとって、本考案の防災用地下シェルターの構成と作動態様について説明する。
本考案の防災用地下シェルター１は、内部に避難空間３が形成され、地中Ｇに埋設されて使用されるのに必要な水密性と耐圧性を有する本体部５と、該本体部５に対して、接続され、上記避難空間３と地上ＧＵとを連絡する連絡部７とを備えることによって基本的に構成されている。
そして、本考案の特徴的構成として前記連絡部７は一つまたは複数設けられており、該連絡部７のうち少なくとも出口用として利用される連絡部７Ｂが前記本体部５に対して上下方向Ｚに所定ストロークＳ昇降し得るように可動状態で設けられている。
【００２３】
また、本実施の形態では連絡部７は入口用の連絡部７Ａと出口用の連絡部７Ｂに分けて二つ設けられており、これらの連絡部７Ａ、７Ｂの上部には、図５〜図７に示すように連絡部７の内部側と外部側のそれぞれから開閉操作が可能な操作ハンドル９を備えた水密構造を有するハッチ１１Ａとハッチ１１Ｂがそれぞれ設けられている。
尚、入口用の連絡部７Ａと出口用の連絡部７Ｂとハッチ１１Ａ、１１Ｂの具体的な構造については後述する。
【００２４】
本体部５は、一例として強化プラスチックス（ＦＲＰ）製で、両端面とコーナー部を幾分丸く加工した角箱状ないし角筒状の部材によって一例として構成されている。
本体部５の上面の幅方向Ｂの中央には、図１、２中、右側の一端寄りの位置に前述した入口側の連絡部７Ａが開口１３Ａを上にして設けられている。また、本体部５の上面の幅方向Ｂの中央における図１、２中の左側の他端寄りの位置に前述した出口側の連絡部７Ｂが同じく開口１３Ｂを上にして設けられている。
【００２５】
また、上記本体部５には、外部の空気を取り入れたり、避難空間３内の空気を入れ替えるための通気口１５が一例として本体部５の上部側面に２ヶ所設けられており、これらの通気口１５、１５には、内径が８０〜１００ｍｍの配管１７が接続されていて、該配管１７の一部は避難空間３内に配置される送風機１９に接続されている。
また、上記通気口１５、１５から本体部５の外方に向けて延びる配管１７の先端部は、該配管１７内への雨水の浸入を防止するためにＵ字状に折り曲げられており、更にその先端には該配管１７内への水等の侵入を防止するための逆止弁２１が取り付けられている。
【００２６】
また、上記本体部５の上面の幅方向Ｂの中央における長さ方向Ａの中間位置には、外部の様子を確認するための潜望鏡２３が設けられており、該潜望鏡２３は上下方向Ｚに長い伸縮可能な筒体２５を備えており、該筒体２５を軸中心にして３６０°回転できるように構成されている。
また、上記本体部５の内部には、高さＨが２ｍ程度の避難空間３が形成されている。そして、該避難空間３には、上記本体部５の剛性を高める機能を併せ持つ以下に詳述する備蓄品を収納するための収納棚２７と、ベッド２９用の支持フレーム３１と、床板を含んだ床構造４１とが配設されている。
【００２７】
上記収納棚２７は、図１、２中の左端部側の幅方向Ｂの一方の側面寄りの位置に一例として配設されており、該収納棚２７には、備蓄用の水を入れたタンク３３や乾パン等の非常食３５あるいはタオル等の生活用品等が収納されている。
ベッド２９は、図１、２中の右端部側に一例として配設されており、図１に示すような３段式のベッド２９が図２に示すように幅方向Ｂのそれぞれの側面に寄せて二組配設されている。
【００２８】
また、上記避難空間３の天井には、一例としてＬＥＤ電灯によって構成される照明３７が二基設けられており、これらの照明３７は、次に述べる発電設備３９や図示しないバッテリーを電源として点灯するように構成されている。
また、図１、２に示すように上記避難空間３の左端寄りの幅方向Ｂにおける一方の側面寄りの位置には、避難空間３内に風を供給して換気を促したり、避難空間３内の温度調節に利用される送風機１９が設けられている。
【００２９】
また、上記送風機１９の側傍には、一例として電動アシスト自転車を利用したペダル式の発電設備３９が配設されており、該発電設備３９によって発電された電力は、当該避難空間３内に配置されている上述した照明３７や送風機１９等、電力を必要とする種々の機器に供給されるように構成されている。
この他、避難空間３の左端側の上記収納棚２７の側方位置には、非常用の酸素ボンベ４５と、一例としてポータブル式の仮設トイレ４７が配設されている。
【００３０】
入口側の連絡部７Ａは、上記本体部５に対して固定状態で取り付けられる角筒状の筒体４９によって一例として構成されている。該筒体４９の下端部には、本体部５に取り付ける場合に使用する外フランジ状に外方に張り出す座板５１が設けられている。
一方、上記筒体４９の上部には、次に述べるハッチ１１Ａを上下方向Ｚに回転自在に取り付けるための矩形枠状の取付け枠板５３が外方に張り出すように設けられており、更に該取付け枠板５３の下方には内方に張り出す矩形枠状の内フランジ部５５が設けられている。
【００３１】
上記取付け枠板５３には、ハッチ１１Ａを収容するための窓部５７と、ハッチ１１Ａを回転自在に支持するためのヒンジ構造５９と、ハッチ１１Ａの回転自由端に対して設けられるグリップ部６１を受け入れるために切り欠かれた切欠き部６３とが設けられている。
ハッチ１１Ａは、上記窓部５７に内嵌する矩形板状の部材で、その中心には操作ハンドル９を支持する、上下方向Ｚに延びる軸部６５を回転自在に支承する軸受部６７が下方に張り出すように設けられている。
【００３２】
操作ハンドル９は、連絡部７の外方側から操作する外方操作ハンドル６９と連絡部７の内方側から操作する内方操作ハンドル７１とから構成されている。
このうち外方操作ハンドル６９は、上述した軸部６５の上端に固定状態で取り付けられる円板状の部材で、その外周寄りの位置には、該外方操作ハンドル６９を操作する時に手で握って操作する折り畳み式の操作グリップ７３が一例として２個設けられている。
【００３３】
一方、内方操作ハンドル７１は、上述した軸部６５の下部において上記軸部６５の軸方向に摺動可能で軸部６５と一体になって回転するように取り付けられるアーム状の部材で、その中心には、カップを逆さまにした形状のバネカバー７５が設けられている。
尚、上記軸部６５の下部には雄ネジ７７が刻設されており、該雄ネジ７７と該雄ネジ７７に螺合するナット８１とを利用して上記バネカバー７５の下方にバネ座７９を水平に位置させた状態で取り付けている。
【００３４】
また、上記バネカバー７５とバネ座７９とによって形成される空間には、上記内方操作ハンドル７１を常時、上方に付勢するための一例として圧縮コイルバネによって構成されている付勢バネ８３が縮設されている。
また、上記内方操作ハンドル７１の自由端には、コロ８５が取り付けられており、操作ハンドル９を図５中、仮想線で示す拡開時の位置Ｏから図５中、実線で示す閉塞時の位置Ｃに移動させることによって、図６に示すように上記コロ８５が上述した内フランジ部５５の下面に当接してハッチ１１Ａの開閉操作を規制するように機能する。
【００３５】
また、上記ハッチ１１Ａの下面と上記内フランジ部５５の上面との間には一例としてＯリングによって構成される水密構造８７が設けられている。
また、上記入口側の連絡部７Ａには、図１に示すように該連絡部７Ａの開口１３Ａと本体部５の底部とを傾斜姿勢で連絡する避難シュート８９が設けられている。尚、該避難シュート８９としては、テント生地等によって製造される折り畳み可能な筒状のものや強化プラスチックス（ＦＲＰ）製の滑り台様のもの等、種々の構造のシュートが採用可能である。
【００３６】
一方、出口側の連絡部７Ｂは、上記本体部５に対して固定状態で設けられる外筒部９１と、この外筒部９１に内嵌して上下方向Ｚに所定ストロークＳ移動可能な内筒部９３と、該内筒部９３を昇降移動させる昇降手段９５と、当該連絡部７Ｂを介して上記本体部５内の避難空間３と外部とを行き来する際の手掛かりないし足掛かりとなる避難・脱出手段９７とを備えることによって一例として構成されている。
【００３７】
そして、上記内筒部９３は、内径が約６００ｍｍ、長さが約２ｍの円筒状の部材で、その上部には、上述した入口側の連絡部７Ａにおける筒体４９の上部に設けられていた取付け枠板５３と同様の構成の外フランジ部９４と内フランジ部５５とが設けられている。
また、上記外フランジ部９４の窓部５７に嵌まるハッチ１１Ｂも、上述した入口側の連絡部７Ａに取り付けられていたものと概略において同様の構成を有しており、上記ハッチ１１Ａが回転自由端側に張り出すようにグリップ部６１を備えているのに対して、当該ハッチ１１Ｂでは、回転自由端寄りの上面から上方に突出するようにグリップ部６１を備えている。また、ハッチ１１Ｂを回転自在に支持するためのヒンジ構造５９は省略されており、内部から上方に押し上げて開放するように構成されている。
尚、上記内筒部９３の昇降ストロークＳは約１ｍに設定されており、図４（ｂ）に示すように地面ＧＬより１ｍ高い位置までの浸水に対応できるように構成されている。
【００３８】
外筒部９１は、上記内筒部９３に外嵌する内筒部９３の外径より一回り大きな内径を有する円筒状の部材で、この外筒部９１の下部には、上述した入口側の連絡部７Ａにおける筒体４９の下端部に設けられていたのと同様の座板５１と、上記本体部５の上板に刻設された連絡穴の周縁部と係合するリング状の係合爪部９９とが設けられている。
一方、上記外筒部９１の上部には、外方に張り出す外フランジ部１０１が設けられており、該外フランジ部１０１上面側に設けられる凹部１０３に対して上述した内筒部９３の上部に設けられる外フランジ部９４が収容されるように構成されている。
【００３９】
また、上記二つの外フランジ部９４、１０１の間に一つと、摺接する外筒部９１の内周面と内筒部９３の外周面との間に二つの計三個の水密構造１０５が設けられており、これらの水密構造１０５はハッチ１１Ｂと内筒部９３の外フランジ部９４との間に設けられている上記水密構造８７と同様、一例としてＯリングによって構成されている。
また、上記昇降手段９５としては、図４に示すような手動式のウインチ１０７を備えた構造が一例として適用でき、該ウインチ１０７から繰り出されるワイヤ１０９をプーリ１１１によって反転させ、その先端を内筒部９３の下端部に係止させたような構造が一例として採用可能である。
また、上記避難・脱出手段９７としては、図１、３及び図４（ａ）（ｂ）に示すような内筒部９３の昇降に伴って伸縮する伸縮式の避難梯子１１３が一例として適用できる。
【００４０】
次に、このようにして構成される本実施の形態による防災用地下シェルター１の作動態様を（１）避難時と（２）脱出・救出時に分けて説明する。
（１）避難時（図１参照）
大規模な地震が発生して津波のおそれがある場合や、豪雨による洪水等のおそれがある場合には、防災用地下シェルター１に避難する。この場合、避難者は、入口側の連絡部７Ａに取り付けられている外方操作ハンドル６９の操作グリップ７３を両手で握ってハッチ１１Ａを拡開時の位置Ｏまで回してハッチ１１Ａのロックを解除する。
【００４１】
次に、ハッチ１１Ａの回転自由端に設けられているグリップ部６１に手を掛けてハッチ１１Ａをヒンジ構造５９を中心にして上方に回転させ、ハッチ１１Ａを開けて入口側の連絡部７Ａの開口１３を開放された状態にする。
避難者は、上記開放された開口１３から入口側の連絡部７Ａ内に進入し、避難シュート８９を滑って本体部５の内部の避難空間３内に至る。以下、同様にすべての避難者が避難空間３内に避難した後、入口側の連絡部７Ａの内側からハッチ１１Ａを閉め、更に内方操作ハンドル７１を閉塞時の位置Ｃまで回してコロ８５を内フランジ部５５の下面に係止させたロック状態にする。
【００４２】
そして、この状態では内方操作ハンドル７１の上方への移動がコロ８５を介して上記内フランジ部５５によって規制されているため、付勢バネ８３の付勢力がバネ座７９に作用して操作ハンドル９Ａの軸部６５を下方に所定ピッチ引き下げるように作用し、ハッチ１１Ａの下面を上記内フランジ部５５側に圧着させて上記水密構造８７を圧縮させた状態にして水密性を確保する。
【００４３】
（２）脱出・救出時（図４（ａ）（ｂ）参照）
地上ＧＵの水位が下がり、出口側の連絡部７Ｂの内筒部９３の上昇ストロークＳの範囲で対応できると判断された時には、ウインチ１０７を巻取り方向に回して内筒部９３を上昇させ、出口側の連絡部７Ｂの開口１３を水面の上方に至らせる。
尚、この時、外筒部９１の上部の外フランジ部１０１における凹部１０３の底面から内筒部９３の上部の外フランジ部９４における下面が離れるため、両者の間に隙間ができて、外筒部９１と内筒部９３の間に水が浸入するが、外筒部９１の内周面と内筒部９３の外周面との間に配設されている二つの水密構造１０５、１０５によって、本体部５内への水の浸入は防止されている。
【００４４】
避難空間３内の避難者は、避難梯子１１３を登って上昇した内筒部９３内に至り、ハッチ１１Ｂの内側から内方操作ハンドル７１を操作してハッチ１１Ｂのロックを解除する。
続いてハッチ１１Ｂを上方に押し上げると、ハッチ１１Ｂは上方に回転またはスライドして、出口側の連絡部７Ｂの開口１３は開放された状態になる。
【００４５】
避難者は、開放された出口側の連絡部７Ｂの開口１３から防災用地下シェルター１の外部に出ることによって脱出ができ、以下、同様に避難空間３内の避難者すべての脱出が試みられる。
また、上記出口側の連絡部７Ｂの内筒部９３が上昇し、出口側の連絡部７Ｂの開口１３が水面の上方に達した段階で外部からハッチ１１Ｂを開けることも可能である。そして、この場合には救助者が外方操作ハンドル６９を操作してハッチ１１Ｂのロックを解除し、グリップ部６１を持ってハッチ１１Ｂを上方に引き上げるようにしてハッチ１１Ｂを開け、避難空間３内に入って避難空間３内にいる避難者の救出に当たる。
【００４６】
本実施の形態による防災用地下シェルター１によれば、浸水によって連絡部７上部の開口１３が水没してしまった場合でも本体部５の内部からの操作によって連絡部７の上部の開口１３を水面から上昇させて本体部５の外部に脱出することが可能になる。
そして、連絡部７に適用した水密構造８７、１０５の作用で避難時と脱出・救出時を通じて本体部５内への水の浸入が防止されているから避難者は安全に避難空間３内に避難し、安全が確認された後、避難空間３外へ脱出することが可能になる。
また、避難空間３内での避難生活が長時間に及ぶ場合でも避難空間３内に配設されている種々の備品や機材を利用することで不自由な避難生活が緩和され、当該避難空間３からの脱出に備えることが可能になる。
【００４７】
尚、本考案の防災用地下シェルター１は、前記の実施の形態のものに限定されず、その考案の要旨内での変更が可能である。
例えば、連絡部７の数は、前記実施の形態のように入口側と出口側に分けて二つ設ける他、出入口共用のものを一つのみ設けてもよいし、入口側と出口側に分けたものや出入口共用のものを三つ以上設けることも可能である。
また、この場合、入口側の連絡部７Ａに設けた避難シュート８９に代えて避難梯子１１３を設けることも可能であるし、出入口共用の連絡部７を採用する場合には避難シュート８９と避難梯子１１３の両方を設けておき、避難シュート８９については取外し可能な構成にすることが可能である。
また、内筒部９３の昇降ストロークＳは約１ｍに設定されているが、これより短くすることも可能であるし、数ｍの高さまで長くすることも可能である。
また、ハッチの開閉機構についてもヒンジ構造により回転して開放する構造としてもよいし、押し上げ構造により上方に押し上げて開放する構造やパンタグラフ式の開閉機構など他の適宜な開閉機構を採用することも可能である。
【００４８】
また、昇降手段９５としては、前述した実施の形態で採用した手動式のウインチ１０７を利用した構成に限らず、必要な電力量が確保できる時には電動式のウインチを採用することが可能である。この他、足踏み式の油圧ジャッキ等を利用したり、併用した構成の昇降手段９５を採用することも可能である。
また、避難・脱出手段９７としては、縄梯子やロープ、ポール等を利用したものでもよく、チェーンブロックや油圧ないし電動式のリフター等を利用したものでも構わない。
更に、本体部５としては、船舶や海運、港湾等で利用されている金属製の箱等を利用することも可能である。
【産業上の利用可能性】
【００４９】
本考案の防災用地下シェルターは、災害発生時に非難が困難な老人や子供等の少人数の一時的な避難に使用できる簡易型の防災用地下シェルターの製造、使用分野等で利用でき、特に地震による津波や豪雨による洪水によって生じた浸水時に好適な水密性に優れた安価な防災用地下シェルターを提供したい場合に利用可能性を有する。
【符号の説明】
【００５０】
１  防災用地下シェルター
３  避難空間
５  本体部
７  連絡部
９  操作ハンドル
１１  ハッチ
１３  開口
１５  通気口
１７  配管
１９  送風機
２１  逆止弁
２３  潜望鏡
２５  筒体
２７  収納棚
２９  ベッド
３１  支持フレーム
３３  タンク
３５  非常食
３７  照明
３９  発電設備
４１  床構造
４５  酸素ボンベ
４７  仮設トイレ
４９  筒体
５１  座板
５３  取付け枠板
５５  内フランジ部
５７  窓部
５９  ヒンジ構造
６１  グリップ部
６３  切欠き部
６５  軸部
６７  軸受部
６９  外方操作ハンドル
７１  内方操作ハンドル
７３  操作グリップ
７５  バネカバー
７７  雄ネジ
７９  バネ座
８１  ナット
８３  付勢バネ
８５  コロ
８７  水密構造
８９  避難シュート
９１  外筒部
９３  内筒部
９４  外フランジ部
９５  昇降手段
９７  避難・脱出手段
９９  係合爪部
１０１  外フランジ部
１０３  凹部
１０５  水密構造
１０７  ウインチ
１０９  ワイヤ
１１１  プーリ
１１３  避難梯子
Ｇ  地中
ＧＬ  地面
ＧＵ  地上
Ｚ  上下方向
Ｓ  ストローク
Ａ  長さ方向
Ｂ  幅方向
Ｈ  高さ
Ｏ  （拡開時の）位置
Ｃ  （閉塞時の）位置
【図１】
0003178130.tif 000003
【図２】
0003178130.tif 000004
【図３】
0003178130.tif 000005
【図４】
0003178130.tif 000006
【図５】
0003178130.tif 000007
【図６】
0003178130.tif 000008
【図７】
0003178130.tif 000009